(57)【特許請求の範囲】
【請求項１】
定められたチャネル数のデータが１系統に多重化されたＤＭＸ信号をそれぞれが入力する複数の入力部と；
複数の入力部に入力される複数系統のＤＭＸ信号のデータを多重化する場合に、各系統毎のＤＭＸ信号のデータを配置する位置情報が設定される配置位置設定手段と；
配置位置設定手段に設定された位置情報を用いて複数系統のＤＭＸ信号のデータを多重化する多重化部と；
多重化部により多重化されたデータをＬＡＮへ送信する送信部と；
を具備することを特徴とするノード装置。
【請求項２】
複数系統のＤＭＸ信号のデータが多重化されたデータをＬＡＮから受信する受信部と；
複数系統のＤＭＸ信号のデータが多重化されたデータを、幾つかの系統のＤＭＸ信号のデータに分離する場合に、各系統毎のＤＭＸ信号のデータを取り出す位置情報が設定される取出位置設定手段と；
取出位置設定手段に設定された位置情報を用いて多重化されたデータを幾つかの系統のＤＭＸ信号のデータに分離する分離部と；
分離部により分離された幾つかの系統のＤＭＸ信号のデータを、それぞれの系統毎のＤＭＸ信号のデータとして出力する複数の出力部と；
を具備することを特徴とするノード装置。
【請求項３】
ノード装置毎の識別情報が設定される識別情報設定部と；
識別情報設定部に設定された識別情報を含むＩＰアドレスを作成するＩＰアドレス作成手段と；
ＩＰアドレス作成手段により作成されたＩＰアドレスを送信元アドレスとした点検用パケットを所定時間毎にブロードキャスト送信すると共に、点検用パケットを受信し、識別情報設定部に設定された識別情報の誤りを検出する設定点検部と；
を具備することを特徴とする請求項１または２に記載のノード装置。
【請求項４】
設定誤りを表示するための表示部を備え；
設定点検部は識別情報設定部に設定された識別情報を送信元アドレスに含む点検用パケットが受信された場合に、表示部に設定誤りを表示することを特徴とする請求項３に記載のノード装置。
【請求項５】
請求項１に記載のノード装置と請求項２に記載のノード装置とがＬＡＮを介してデータを送受信する調光システムであって、
請求項２に記載のノード装置は、取出位置設定手段に設定された位置情報を含めたステータスパケットを所定時間毎にブロードキャスト送信する位置情報通知部を具備しており；
請求項１に記載のノード装置は、位置情報通知部から送信された位置情報に基づき必要チャネル範囲を求めて、この必要チャネル範囲の該当チャネルにＤＭＸ信号のデータをセットして多重化を行わせる多重化制御部を具備していることを特徴とする調光システム。
【発明の詳細な説明】
【技術分野】
【０００１】
この発明は舞台やスタジオなどの照明設備における照明負荷の調光を制御する調光信号を伝送する場合に用いられるノード装置及びこのノード装置を用いて構成される調光システムに関するものである。
【背景技術】
【０００２】
従来、複数の調光器を１系統に集合し、これを複数系統設けて多数の照明負荷の調光を制御する調光システムとしては、特許文献１に示すように、１系統毎に無線子機をノード装置として設けたものが知られている。
【特許文献１】特開２０００−１９５６８１号公報
【０００３】
近年においては、米国劇場技術協会（ＵＳＩＴＴ）が規格した演出分野などの用いられるディジタル信号による調光制御用の調光信号の規格であるＤＭＸ５１２が用いられることも多くなっている。このＤＭＸ５１２による調光信号であるＤＭＸ信号を用いた調光システムにあっては、調光卓からの調光信号を受けてＤＭＸ信号として調光器側へ送信を行う送信側ノード装置と、調光器側に設けられＤＭＸ信号を受信する受信側ノードとが、それぞれ１対１の関係で接続されるものであった。
【発明の開示】
【発明が解決しようとする課題】
【０００４】
即ち、ＤＭＸ信号を用いた調光システムにおいては、１対１のノード装置間において１系統分（５１２チャネル）の伝送が行われるだけであった。従って、１対１のノード装置間においては最大で５１２チャネル分の調光データが伝送可能なものであり、この５１２チャネルを超える調光データを伝送する必要があるシステムにおいては、５１２チャネル分毎に１対１のノード装置を増設する必要があった。また、ＤＭＸ出力側においてＤＸＭ信号の分岐を行うために別途分配器を用意する必要があり、別のハード構成が必要なものであった。
【０００５】
本発明は上記のようなＤＭＸ信号を用いた調光システムにおける現状に鑑みてなされたもので、その目的は、ノード装置の増設をすることなく複数系統のＤＭＸ信号のデータを伝送することが可能であり、ＤＭＸ出力側においても所望の系統に対し、入力側における所望のＤＭＸ信号のデータを送出可能なノード装置を提供することである。また、他の目的は、上記ノード装置を用いてＤＭＸ信号のデータをＬＡＮを介して伝送する場合に、必要なチャネル範囲にデータをセットして伝送を行うことによりＬＡＮへ送り出す情報量を低減させることを可能とする調光システムを提供することである。
【課題を解決するための手段】
【０００６】
本発明に係るノード装置は、定められたチャネル数のデータが１系統に多重化されたＤＭＸ信号をそれぞれが入力する複数の入力部と；複数の入力部に入力される複数系統のＤＭＸ信号のデータを多重化する場合に、各系統毎のＤＭＸ信号のデータを配置する位置情報が設定される配置位置設定手段と；配置位置設定手段に設定された位置情報を用いて複数系統のＤＭＸ信号のデータを多重化する多重化部と；多重化部により多重化されたデータをＬＡＮへ送信する送信部と；を具備することを特徴とする。
ここに、ＬＡＮとしてはイーサネット(登録商標)を許容する。また、配置位置設定手段には、１〜２０４８の範囲を設定できるロータリースイッチを用いることが可能である。入力部には１系統５１２チャネルのＤＭＸ信号を受けるコネクタを含むことができる。
【０００７】
本発明に係るノード装置は、複数系統のＤＭＸ信号のデータが多重化されたデータをＬＡＮから受信する受信部と；複数系統のＤＭＸ信号のデータが多重化されたデータを、幾つかの系統のＤＭＸ信号のデータに分離する場合に、各系統毎のＤＭＸ信号のデータを取り出す位置情報が設定される取出位置設定手段と；取出位置設定手段に設定された位置情報を用いて多重化されたデータを幾つかの系統のＤＭＸ信号のデータに分離する分離部と；分離部により分離された幾つかの系統のＤＭＸ信号のデータを、それぞれの系統毎のＤＭＸ信号のデータとして出力する複数の出力部と；を具備することを特徴とする。
ここに、ＬＡＮとしてはイーサネットを許容する。また、取出位置設定手段には、１〜２０４８の範囲を設定できるロータリースイッチを用いることが可能である。入力部には１系統５１２チャネルのＤＭＸ信号を出力するためのコネクタを含むことができる。
【０００８】
本発明に係るノード装置は、ノード装置毎の識別情報が設定される識別情報設定部と；識別情報設定部に設定された識別情報を含むＩＰアドレスを作成するＩＰアドレス作成手段と；ＩＰアドレス作成手段により作成されたＩＰアドレスを送信元アドレスとした点検用パケットを所定時間毎にブロードキャスト送信すると共に、点検用パケットを受信し、識別情報設定部に設定された識別情報の誤りを検出する設定点検部と；を具備することを特徴とする。
ここに、識別情報設定部には、２桁の数値を設定できるロータリースイッチを用いることが可能である。
【０００９】
本発明に係るノード装置では、設定誤りを表示するための表示部を備え；設定点検部は識別情報設定部に設定された識別情報を送信元アドレスに含む点検用パケットが受信された場合に、表示部に設定誤りを表示することを特徴とする。
【００１０】
本発明に係る調光システムは、請求項１に記載のノード装置と請求項２に記載のノード装置とがＬＡＮを介してデータを送受信する調光システムであって、請求項２に記載のノード装置は、取出位置設定手段に設定された位置情報を含めたステータスパケットを所定時間毎にブロードキャスト送信する位置情報通知部を具備しており；請求項１に記載のノード装置は、位置情報通知部から送信された位置情報に基づき必要チャネル範囲を求めて、この必要チャネル範囲の該当チャネルにＤＭＸ信号のデータをセットして多重化を行わせる多重化制御部を具備していることを特徴とする。
【発明の効果】
【００１１】
本発明に係るノード装置によれば、複数の入力部に入力される複数系統のＤＭＸ信号のデータを多重化する場合に、各系統毎のＤＭＸ信号のデータを配置する位置情報が設定される配置位置設定手段に設定された位置情報を用いて複数系統のＤＭＸ信号のデータを多重化し、多重化されたデータをＬＡＮへ送信する構成を採用しているので、複数系統のＤＭＸ信号のデータを多重化して１台のノード装置から送信することが可能である。
【００１２】
また、本発明に係るノード装置によれば、複数系統のＤＭＸ信号のデータが多重化されたデータをＬＡＮから受信し、この多重化されたデータを、幾つかの系統のＤＭＸ信号のデータに分離する場合に、各系統毎のＤＭＸ信号のデータを取り出す位置情報が設定される取出位置設定手段に設定された位置情報を用いて多重化されたデータを幾つかの系統のＤＭＸ信号のデータに分離し、分離された幾つかの系統のＤＭＸ信号のデータを、それぞれの系統毎のＤＭＸ信号のデータとして出力する構成を採用しているので、複数系統のＤＭＸ信号のデータが多重化されたデータを１台のノード装置にて受信し、幾つかの系統のＤＭＸ信号のデータに分離してそれぞれの系統毎にＤＭＸ信号のデータを出力することが可能である。
【００１３】
本発明に係る調光システムによれば、複数系統のＤＭＸ信号のデータが多重化されたデータをＬＡＮから受信するノード装置では、取出位置設定手段に設定された位置情報を含めたステータスパケットを所定時間毎にブロードキャスト送信し、複数系統のＤＭＸ信号のデータを多重化したデータをＬＡＮへ送信するノード装置では、上記ブロードキャスト送信により到来した位置情報に基づき必要チャネル範囲を求めて、この必要チャネル範囲の該当チャネルにＤＭＸ信号のデータをセットして多重化を行わせるので、ＬＡＮへ送り出す情報量を低減させることが可能となる。
【発明を実施するための最良の形態】
【００１４】
本発明においては、複数の入力部に入力される複数系統のＤＭＸ信号のデータを多重化して１台のノード装置からＬＡＮへ送信し、この複数系統のＤＭＸ信号のデータが多重化されたデータをＬＡＮから１台のノード装置にて受信し、幾つかの系統のＤＭＸ信号のデータに分離し、分離された幾つかの系統のＤＭＸ信号のデータを、それぞれの系統毎のＤＭＸ信号のデータとして出力する構成を採用することにより、複数系統のＤＭＸ信号のデータ送信と、複数系統のＤＭＸ信号のデータが多重化されたデータの受信を、それぞれＬＡＮに接続された１台のノード装置にて実現するという目的を達成したものである。
【００１５】
また、本発明においては、複数系統のＤＭＸ信号のデータが多重化されたデータをＬＡＮから受信して幾つかの系統のＤＭＸ信号のデータに分離し、分離された幾つかの系統のＤＭＸ信号のデータを、それぞれの系統毎のＤＭＸ信号のデータとして出力する側のノード装置においてしようされているチャネル範囲を把握し、必要チャネル範囲の該当チャネルにＤＭＸ信号のデータをセットして多重化を行わせることで、ＬＡＮへ送り出す情報量を低減させるという目的を達成したものである。
【実施例１】
【００１６】
以下添付図面を参照して、本発明に係るノード装置及び調光システムの実施例を説明する。各図において、同一の構成要素には同一符号を付して重複する説明を省略する。図１は、本発明に係るノード装置を用いた調光システムの実施例を示す図である。この実施例においては、４系統のＤＭＸ信号のデータを多重化可能であるノード装置２０と、４系統のＤＭＸ信号のデータが多重化されたデータをＬＡＮを構成するイーサネット（イサーネット・クロスケーブル）１５から受信して最大４系統のＤＭＸ信号のデータに分離するノード装置３０とを用いた調光システムを例としている。
【００１７】
ノード装置２０は調光データを送信する側の装置であり、図２に示すように、４系統の入力部２１−１〜２１−４を備えている。入力部２１−１〜２１−４には、図１に示されるように調光卓１１〜１４が接続されている。調光卓が４系統のＤＭＸ信号のデータを送信可能であれば調光卓１１〜１４を１台とすることができ、調光卓が２系統のＤＭＸ信号のデータを送信可能であれば調光卓１１〜１４を２台で代用することができ、入力部２１−１〜２１−４に接続可能な調光卓の台数は最大４台であることを示している。
【００１８】
ノード装置３０は調光器に接続される側の装置であり、図４に示すように、４系統の出力部３１−１〜３１−４を備えている。図１に示される通り、出力部３１−１にはＤＭＸ信号線１６−１を介して最大５１２の調光器１７１−１、１７１−２、・・・が接続されており、出力部３１−２にはＤＭＸ信号線１６−２を介して最大５１２の調光器１７２−１、１７２−２、・・・が接続されており、出力部３１−３にはＤＭＸ信号線１６−３を介して最大５１２の調光器１７３−１、１７３−２、・・・が接続されており、出力部３１−４にはＤＭＸ信号線１６−４を介して最大５１２の調光器１７４−１、１７４−２、・・・が接続されている。即ち、出力部３１−１〜３１−４には、最大で４系統のＤＭＸ信号線を接続可能である。
【００１９】
調光器１７１−１、１７１−２、・・・には、それぞれ１台とは限らない照明負荷１８１−１、１８１−２、・・・が接続されており、調光器１７２−１、１７２−２、・・・には、それぞれ１台とは限らない照明負荷１８２−１、１８２−２、・・・が接続されており、調光器１７３−１、１７３−２、・・・には、それぞれ１台とは限らない照明負荷１８３−１、１８３−２、・・・が接続されており、調光器１７４−１、１７４−２、・・・には、それぞれ１台とは限らない照明負荷１８４−１、１８４−２、・・・が接続されている。
【００２０】
上記の調光卓１１〜１４から送出されるＤＭＸ信号と、ＤＭＸ信号線１６−１〜１６−４を介して送られるＤＭＸ信号は、先に説明したＤＭＸ５１２である。このＤＭＸ５１２は、スタートビットとストップビットに挟まれ、それぞれが８ビットにより構成されるチャネルを、５１２チャネル多重化して１フレームとしたものである。上記５１２チャネルにおけるそれぞれの１チャネルが１つの調光器に対する調光データ（８ビット、２５６階調）を構成するものである。また、１フレームの開始の検出は、ブレーク（ＢＲＥＡＫ）とスタートコードを検出することにより行われる。また、各調光器に対応するチャネルの調光データは、上記フレームの開始からスタートビットとストップビットに挟まれたチャネルが幾つ到来したかをカウントして、当該調光器に割り当てられたチャネル番号と同数のチャネルを検出して取り出す。各調光器は、取り出した調光データに基づき照明負荷に与える電力を制御して調光を行う。
【００２１】
ノード装置２０の入力部２１−１〜２１−４は、ノード装置２０の正面パネルを示す図３に設けられた入力コネクタＣ２１〜Ｃ２４を含み、この入力コネクタＣ２１〜Ｃ２４にＤＭＸ信号線が接続される。図３に示すコネクタＣＥ１には、イーサネット１５のクロスケーブル端部に接続されたジャックが挿入される。
【００２２】
ノード装置２０には、図２に示されるように、配置位置設定手段２２、多重化部２３、送信部２４が備えられている。配置位置設定手段２２は、複数の入力部２１−１〜２１−４に入力される複数系統のＤＭＸ信号のデータを多重化する場合に、各系統毎のＤＭＸ信号のデータを配置する位置情報が設定されるものである。具体的には、ノード装置２０の正面パネルを示す図３に示す各桁が０〜９まで設定可能な４桁のロータリースイッチＳ２１〜Ｓ２４により、上記配置位置設定手段２２が構成されている。図３に示す例では、ロータリースイッチＳ２１〜Ｓ２４にそれぞれ「０００１」、「０５１３」、「１０２５」、「１５３６」が設定されている。これにより、調光卓１１から送られる第１系統のＤＭＸ信号のデータ（５１２チャネル）は、チャネル「０００１」からチャネル「０５１２」に配置され、調光卓１２から送られる第２系統のＤＭＸ信号のデータ（５１２チャネル）は、チャネル「０５１３」からチャネル「１０２４」に配置され、調光卓１３から送られる第３系統のＤＭＸ信号のデータ（５１２チャネル）は、チャネル「１０２５」からチャネル「１５３５」に配置され、調光卓１４から送られる第４系統のＤＭＸ信号のデータ（５１２チャネル）は、チャネル「１５３６」からチャネル「２０４８」に配置されることが設定されている。
【００２３】
多重化部２３は、配置位置設定手段２２に設定された位置情報を用いて複数系統（ここでは４系統）のＤＭＸ信号のデータを多重化するものである。ここでは、上記の通り４系統のＤＭＸ信号のデータを、チャネル「０００１」からチャネル「２０４８」に多重化する。送信部２４は、多重化部２３により多重化されたデータをＬＡＮであるイーサネット１５へ送信するものであり、ここでは、ＵＤＰ（User datagram protocol）パケットに上記調光データをパックしてブロードキャスト送信する。ＵＤＰパケットのデータ部の先頭には、それに続いてパックされるデータが調光データか又はステータスデータであるかを示すコード（調光データコード、ステータスデータコード）がセットされる。ここでは、調光データコードがセットされたパケットを調光データパケットと称し、ステータスデータコードがセットされたパケットをステータスパケットと称するものとする。なお、調光データパケットの１パケットに調光データをパックして送信する場合にパックする調光データは最大１０２４チャネルまでとし、１０２５チャネル以上の調光データをパックして送信する場合には２パケットに分割して送信を行う。
【００２４】
ノード装置２０には、当該ノード装置２０の識別情報が設定される識別情報設定部２５と、識別情報設定部２５に設定された識別情報を含むＩＰアドレスを作成するＩＰアドレス作成手段２６が備えられる。識別情報設定部２５は、ノード装置２０の正面パネルを示す図３に示す通り、各桁が０〜９まで設定可能な２桁のロータリースイッチＳ２５により構成される。この例では、２桁であるが３桁で１〜２５４の値を設定可能であることが望ましい。送信部２４はＩＰアドレスとしてＣクラスを採用し、ＩＰアドレス作成手段２６は、上記ロータリースイッチＳ２５に設定された値を第４カラムの値とし、第３カラム目までを例えば、「１９２．１６８．２」に固定する。図３の如く上記ロータリースイッチＳ２５に設定された値が「０１」であれば、ＩＰアドレスは「１９２．１６８．２．０１」となる。
【００２５】
ノード装置２０には、イーサネット１５からパケットをＩＰアドレス作成手段２６の出力を参照して、自装置宛（ブロードキャストを含む）のパケットを取り込む受信部２８と、設定点検部２９、表示部２９Ａ、多重化制御部２３Ｃが備えられている。上記設定点検部２９は、ＩＰアドレス作成手段２６により作成されたＩＰアドレスを送信元アドレスとしたステータスパケットである点検用パケットを所定時間（例えば、１秒）毎に送信部２４を介してブロードキャスト送信すると共に、イーサネット１５を伝送している点検用パケットを受信し、識別情報設定部２５に設定された識別情報の誤りを検出するものである。
【００２６】
表示部２９Ａは、設定誤りを表示するためのものであり、例えばＬＥＤにより構成される。設定点検部２９は識別情報設定部２５に設定された識別情報を送信元アドレスに含む点検用パケットが受信部２８を介して受信された場合に、表示部２９Ａに設定誤りを表示する。例えば、表示部２９ＡであるＬＥＤを３秒間隔に点滅させて設定誤りを表示する。多重化制御部２３Ｃは、後述する通りに多重化部２３を制御するものである。
【００２７】
ノード装置３０には図４に示す通り、受信部３２Ｒ、送信部３２Ｓ、分離部３８、識別情報設定部３３、ＩＰアドレス作成手段３４、設定点検部３５、表示部３５Ａ、取出位置設定手段３６が備えられている。識別情報設定部３３はノード装置２０の識別情報設定部２５に相当し、ノード装置３０の正面パネルを示す図５に示す通り、各桁が０〜９まで設定可能な２桁のロータリースイッチＳ３５により構成される。この例では、２桁であるが３桁で１〜２５４の値を設定可能であることが望ましい。ＩＰアドレス作成手段３４はノード装置２０のＩＰアドレス作成手段２６と全く同様のものである。表示部３５Ａはノード装置２０の表示部２９Ａと全く同様のものであり、設定点検部３５はノード装置２０の設定点検部２９と全く同様のものであるため、説明を省略する。
【００２８】
受信部３２Ｒは、複数系統のＤＭＸ信号のデータが多重化されたデータをＬＡＮであるイーサネット１５から受信するものであり、ＩＰアドレス作成手段３４により作成されたアドレスを宛先アドレスとして含むパケット及びブロードキャスト送信されてきたパケットを取り込む。
【００２９】
取出位置設定手段３６は、複数系統のＤＭＸ信号のデータが多重化されたデータを、幾つかの系統のＤＭＸ信号のデータに分離部３８が分離する場合に、各系統毎のＤＭＸ信号のデータを取り出す位置情報が設定されるものであり、ここでは、ノード装置３０の正面パネルを示す図５に設けられた出力コネクタＣ３１〜Ｃ３４を含む出力部３１−１〜３１−４に対応する各桁が０〜９まで設定可能な４桁のロータリースイッチＳ３１〜Ｓ３４により構成されている。
【００３０】
図５の例では、ロータリースイッチＳ３１〜Ｓ３４にそれぞれ「０００１」、「０５１３」、「１０２５」、「１５３６」が設定されている。これにより、ＤＭＸ信号線１６−１へ送られる第１系統のＤＭＸ信号のデータ（５１２チャネル）は、イーサネット１５においてチャネル「０００」１からチャネル「０５１２」に多重されていたものを指定し、ＤＭＸ信号線１６−２へ送られる第２系統のＤＭＸ信号のデータ（５１２チャネル）は、イーサネット１５においてチャネル「０５１３」からチャネル「１０２４」に多重されていたものを指定し、ＤＭＸ信号線１６−３へ送られる第３系統のＤＭＸ信号のデータ（５１２チャネル）は、イーサネット１５においてチャネル「１０２５」からチャネル「１５３５」に多重されていたものを指定し、ＤＭＸ信号線１６−４へ送られる第４系統のＤＭＸ信号のデータ（５１２チャネル）は、イーサネット１５においてチャネル「１５３６」からチャネル「２０４８」に多重されていたものを指定している。図５に示すコネクタＣＥ２はイーサネット１５の端部に接続されたクロスケーブルのジャックが挿入される。
【００３１】
分離部３８は、取出位置設定手段３６に設定された位置情報を用いて多重化されたデータを幾つかの系統（ここでは、４系統）のＤＭＸ信号のデータに分離するものである。出力部３１−１〜３１−４は分離部３８により分離された幾つかの系統（ここでは、４系統）のＤＭＸ信号のデータを、それぞれの系統毎のＤＭＸ信号としてＤＭＸ信号線１６−１〜１６−４へ出力するものである。
【００３２】
ノード装置３０は、取出位置設定手段３６に設定された位置情報を含めたステータスパケットを所定時間毎に送信部３２Ｓを介してブロードキャスト送信する位置情報通知部３７を具備している。このとき、送信部３２ＳはＩＰアドレス作成部３４が作成したアドレスを送信元アドレスとしてパケットにセットする。
【００３３】
ノード装置２０は図２に示す通り、多重化制御部２３Ｃを具備している。多重化制御部２３Ｃは、ノード装置３０の位置情報通知部３７から送信された位置情報に基づき必要チャネル範囲を求めて、この必要チャネル範囲の該当チャネルにＤＭＸ信号のデータをセットして多重化を行わせるように多重化部２３を制御する。
【００３４】
以上の通りに構成されたノード装置２０とノード装置３０とを用いて構成した調光システムにあって、ロータリースイッチＳ２１〜Ｓ２５に図３に示す数値が設定されているので、ノード装置２０において、調光卓１１から送られる第１系統のＤＭＸ信号のデータ（５１２チャネル）は、チャネル「０００１」からチャネル「０５１２」に配置され、調光卓１２から送られる第２系統のＤＭＸ信号のデータ（５１２チャネル）は、チャネル「０５１３」からチャネル「１０２４」に配置され、調光卓１３から送られる第３系統のＤＭＸ信号のデータ（５１２チャネル）は、チャネル「１０２５」からチャネル「１５３５」に配置され、調光卓１４から送られる第４系統のＤＭＸ信号のデータ（５１２チャネル）は、チャネル「１５３６」からチャネル「２０４８」に配置される多重化が行われてイーサネット１５への送信がなされる。
【００３５】
ノード装置３０において、ロータリースイッチＳ３１〜Ｓ３４に図５に示す数値が設定されているので、ＤＭＸ信号線１６−１へ送られる第１系統のＤＭＸ信号のデータ（５１２チャネル）はイーサネット１５においてチャネル「０００１」からチャネル「０５１２」に多重されていたものを分離して取り出し、ＤＭＸ信号線１６−２へ送られる第２系統のＤＭＸ信号のデータ（５１２チャネル）はイーサネット１５においてチャネル「０５１３」からチャネル「１０２４」に多重されていたものを分離して取り出し、ＤＭＸ信号線１６−３へ送られる第３系統のＤＭＸ信号のデータ（５１２チャネル）はイーサネット１５においてチャネル「１０２５」からチャネル「１５３５」に多重されていたものを分離して取り出し、ＤＭＸ信号線１６−４へ送られる第４系統のＤＭＸ信号のデータ（５１２チャネル）は、イーサネット１５においてチャネル「１５３６」からチャネル「２０４８」に多重されていたものを分離して取り出している。斯して、４系統のＤＭＸ信号のデータを多重化して送り、これを受信したノードでは４系統のＤＭＸ信号のデータへ分離して戻し、所要の調光器へ送って調光制御がなされる。
【００３６】
斯して、４系統のＤＭＸ信号のデータをノード装置２０において多重化して送り、これを受信したノード装置３０において４系統のＤＭＸ信号のデータへ分離して戻し、所要の調光器へ送って調光制御がなされる。また、設定点検部２９、３５により、ＩＰアドレス作成手段２６、３４により作成されたＩＰアドレスを送信元アドレスとした点検用パケットを所定時間（例えば、１秒）毎に送信部２４を介してブロードキャスト送信されると共に、イーサネット１５を伝送している点検用パケットが受信され、識別情報設定部２５、３３に設定された識別情報を送信元アドレスに含む点検用パケットが受信された場合に、表示部２９Ａ、３５Ａに設定誤りが表示される。図５の例において、ノード装置３０のロータリースイッチＳ３５には「０２」と数値が設定されているが、誤って「０１」と設定した場合には、設定点検部３５からはＩＰアドレス作成手段３４により作成された「１９２．１６８．２．０１」を送信元アドレスとして含む点検用パケットが送信され、ノード装置２０の設定点検部２９に取り込まれて、これがＩＰアドレス作成手段２６により作成されたＩＰアドレス「１９２．１６８．２．０１」と比較されて一致し、表示部２９Ａが点滅されることになる。このように構成されているので、ノード装置の識別情報設定について誤りを迅速に発見することができ、訂正設定して効率良くシステムを運用可能である。
【００３７】
本実施例に係るノード装置２０とノード装置３０には、イーサネット１５に接続されている図示せぬ他の通信機器の通信を考慮して、ＬＡＮへ送り出す情報量を低減させることを可能とする構成が備えられている。
【００３８】
即ち、ノード装置３０には図４に示す通り位置情報通知部３７が備えられており、位置情報通知部３７は、取出位置設定手段３６に設定された位置情報を含めたステータスパケットを所定時間毎に送信部３２Ｓを介してブロードキャスト送信する。例えば、図７に示されている調光システムにおいては、ノード装置３０のロータリースイッチＳ３１〜Ｓ３４にはすべて「０００１」が設定されているため、「０００１」がブロードキャスト送信される。また、図８に示されている調光システムにおいては、ノード装置３０のロータリースイッチＳ２１に「０００１」が設定され、ロータリースイッチＳ３２に「０２０１」が設定され、ロータリースイッチＳ３３〜Ｓ３４は使用されないため、無意味な値が設定されているため、「０００１」と「０２０１」がブロードキャスト送信される。
【００３９】
ノード装置２０には多重化制御部２３Ｃが備えられており、この多重化制御部２３Ｃがノード装置３０の位置情報通知部３７から送信された位置情報を受信部２８を介して受け取り、この受信した位置情報に基づき必要チャネル範囲を求めて、この必要チャネル範囲の該当チャネルにＤＭＸ信号のデータをセットして多重化を行わせるように多重化部２３を制御する。即ち、図７に示されている調光システムにおいては、「０００１」のみがブロードキャスト送信されてくるため、チャネル「０００１」からチャネル「０５１２」までの１系統分が必要チャネル範囲であることが検出され、図７に示されているノード装置２０の多重化制御部２３Ｃは、多重化部２３に対しチャネル「０００１」からチャネル「０５１２」までにＤＭＸ信号のデータをセットする多重化を行わせ、チャネル「０５１３」以降の調光データを出力しない。また、多重化制御部２３Ｃは上記で検出した最小チャネル番号「０００１」と最大チャネル番号「０５１２」を多重化部２３を介して送信部２４へ与える。
【００４０】
上記送信部２４では、チャネル「０００１」からチャネル「０５１２」までの調光データと、最小チャネル番号「０００１」と最大チャネル番号「０５１２」をパケットにパックして送信する。これにより送信パケットにはチャネル「０５１３」以降の調光データが含まれておらず、ＬＡＮへ送り出す情報量を低減させることを可能とする。また、図８に示されている調光システムにおいては、調光システムにおいては、「０００１」と「０２０１」がブロードキャスト送信されてくるため、チャネル「０００１」からチャネル「０５１２」までの１系統分と、チャネル「０２０１」からチャネル「０７１２」までの１系統分を合わせた範囲であるチャネル「０００１」からチャネル「０７１２」までが必要チャネル範囲であることが検出され、図８に示されているノード装置２０の多重化制御部２３Ｃは、多重化部２３に対しチャネル「０００１」からチャネル「０７１２」までのチャネルにＤＭＸ信号のデータをセットする多重化を行わせ、チャネル「０７１３」以降の調光データを出力しない。チャネル「０００１」からチャネル「０７１２」までの調光データと、最小チャネル番号「０００１」と最大チャネル番号「０７１２」をパケットにパックして送信する。また、多重化制御部２３Ｃは上記で検出したこれにより送信パケットにはチャネル「０７１３」以降の調光データが含まれておらず、ＬＡＮへ送り出す情報量を低減させることを可能とする。なお、上記の如きパケットを受信した分離部３８は、最小チャネル番号と最大チャネル番号を検出し、取出位置設定手段３６に設定された位置情報を用いて該当の位置（チャネル）の調光データを幾つかの系統のＤＭＸ信号のデータに分離する。斯して、不要なデータがイーサネット１５へ送られる不具合を防止することができる。
【００４１】
図６には上記で説明したノード装置２０とノード装置３０を用いて、１系統のＤＭＸ信号のデータのみを送信し、これを受信側において４系統にコピーして分配する調光システムが示されている。この場合には、入力コネクタＣ２２〜Ｃ２４にＤＭＸ信号線が接続されない。図６に示す通り、ノード装置２０においてロータリースイッチＳ２１に「０００１」が設定され、ロータリースイッチＳ２２〜Ｓ２４は使用されないため、例えば無意味な値が設定される。一方、ノード装置３０においては、ロータリースイッチＳ３１〜Ｓ３４にはすべて「０００１」が設定される。
【００４２】
これにより、ノード装置２０において、例えば調光卓１１から送られる第１系統のＤＭＸ信号のデータ（５１２チャネル）は、チャネル「０００１」からチャネル「０５１２」に配置されて送信される。一方ノード装置３０において、ＤＭＸ信号線１６−１へ送られる第１系統のＤＭＸ信号のデータ（５１２チャネル）と、ＤＭＸ信号線１６−２へ送られる第２系統のＤＭＸ信号のデータ（５１２チャネル）と、ＤＭＸ信号線１６−３へ送られる第３系統のＤＭＸ信号のデータ（５１２チャネル）と、ＤＭＸ信号線１６−４へ送られる第４系統のＤＭＸ信号のデータ（５１２チャネル）とは、いずれもイーサネット１５においてチャネル「０００１」からチャネル「５１２」に多重されていたものを分離して取り出しコピーしている。斯して、ノード装置２０から１系統のＤＭＸ信号のデータを送り、これを受信したノード装置３０では４系統のＤＭＸ信号のデータへコピーして、各系統における所要の調光器へ送って調光制御がなされる。
【００４３】
図７には、スイッチングハブ４０に同一構成である２台の受信側のノード装置３０、３０Ａを接続し、送信側のノード装置２０から第１系統のＤＭＸ信号のデータをイーサネット１５上においてチャネル「０００１」から配置し、第２系統のＤＭＸ信号のデータをイーサネット１５上においてチャネル「０５１３」から配置し、受信側においてノード装置３０ではイーサネット１５上のチャネル「０００１」から１系統分のデータを４系統にコピーして分配する一方、ノード装置３０Ａでは、イーサネット１５上のチャネル「０００１」から１系統分のデータを第１、第２系統にコピーして分配し、イーサネット１５上のチャネル「０５１３」から１系統分のデータを第３、第４系統にコピーして分配する調光システムが示されている。この場合には、入力コネクタＣ２３〜Ｃ２４にＤＭＸ信号線が接続されない。ノード装置２０において、ロータリースイッチＳ２１に「０００１」が設定され、ロータリースイッチＳ２２に「０５１３」が設定され、ロータリースイッチＳ２３〜Ｓ２４は使用されないため、例えば無意味な値が設定される。一方、ノード装置３０において、ロータリースイッチＳ３１〜Ｓ３４にはすべて「０００１」が設定され、ノード装置３０Ａにおいて、ロータリースイッチＳ３１〜Ｓ３２にはすべて「０００１」が設定され、ロータリースイッチＳ３３〜Ｓ３４にはすべて「０５１３」が設定される。
【００４４】
図８には上記で説明したノード装置２０とノード装置３０を用いて、１台の調光卓から送出される第１系統のＤＭＸ信号のデータのチャネルと、他の１台の調光卓から送出される第２系統のＤＭＸ信号のデータのチャネルとが一部においては重なる調光データを伝送する調光システムが示されている。この場合において、多重化部２３は、重なっているチャネルの調光データについてレベルの大きいものを採用する。この図８の例では、ノード装置２０における入力コネクタＣ２２〜Ｃ２４にＤＭＸ信号線が接続されない。ノード装置２０において、ロータリースイッチＳ２１に「０００１」が設定され、ロータリースイッチＳ２２に「０２０１」が設定され、ロータリースイッチＳ２３〜Ｓ２４は使用されないため、無意味な値が設定される。一方、ノード装置３０において、ロータリースイッチＳ３１〜Ｓ３４にはすべて「０００１」が設定される。
【００４５】
第１系統のＤＭＸ信号のデータ及び第２系統のＤＭＸ信号のデータにおいては、共にチャネル「０００１」からチャネル「０２００」までは調光レベルがあり（０より大）、チャネル「０２０１」からチャネル「０５１２」までは調光レベルが０とする。多重化部２３は、第１系統のＤＭＸ信号のデータをロータリースイッチＳ２１に設定されている「０００１」に基づきイーサネット１５上のチャネル「０００１」から１系統分に配置し、第２系統のＤＭＸ信号のデータをロータリースイッチＳ２１に設定されている「０２０１」に基づきイーサネット１５上のチャネル「０２０１」から１系統分に配置する。従って、イーサネット１５上のチャネル「０２０１」からチャネル「０５１２」において重なりが生じるが、第１系統及び第２系統のＤＭＸ信号のデータにおいてチャネル「０２０１」からチャネル「０５１２」までは調光レベルが０であるから、イーサネット１５上のチャネル「０００１」からチャネル「０２００」の範囲においては調光信号が重なることなく第１系統のＤＭＸ信号のデータが採用され、イーサネット１５上のチャネル「０２０１」から「０４００」の範囲においては第１系統のＤＭＸ信号のデータは調光レベルが０であるから、大きい調光レベルである第２系統のＤＭＸ信号のデータが採用される。第１系統及び第２系統のＤＭＸ信号のデータにおいてチャネル「０２０１」からチャネル「０５１２」までは調光レベルが０であるから、イーサネット１５上のチャネル「０４０１」以降のデータは０となる。
【００４６】
一方、ノード装置３０において、ロータリースイッチＳ３１〜Ｓ３４にはすべて「０００１」が設定されているため、イーサネット１５上のチャネル「０００１」からチャネル「０５１２」までの１系統分のＤＭＸ信号のデータが取り出されて、４系統へ分配出力される。調光レベルが０でない範囲では、チャネル「０００１」からチャネル「０２００」までが送信側の第１系統のＤＭＸ信号のデータであり、チャネル「０２０１」からチャネル「０４００」までが送信側の第２系統のＤＭＸ信号のデータであるものが４系統に出力される。
【００４７】
図９には、調光卓から送出されるＤＭＸ信号のデータを受けて送信するノード装置として同一構成のノード装置２０、２０Ａがスイッチングハブ４０に接続され、スイッチングハブ４０を介して同一構成の２台の受信側のノード装置３０、３０Ａと接続される調光システムが示されている。この図９の例では、ノード装置２０の入力コネクタＣ２３〜Ｃ２４と、ノード装置２０Ａの入力コネクタＣ２３〜Ｃ２４にＤＭＸ信号線が接続されない。ノード装置２０において、ロータリースイッチＳ２１に「０００１」が設定され、ロータリースイッチＳ２２に「０５１３」が設定され、ロータリースイッチＳ２３〜Ｓ２４は使用されないため、無意味な値が設定される。ノード装置２０Ａにおいて、ロータリースイッチＳ２１に「１０２５」が設定され、ロータリースイッチＳ２２に「１５３６」が設定され、ロータリースイッチＳ２３〜Ｓ２４は使用されないため、無意味な値が設定される。
【００４８】
一方、ノード装置３０において、ロータリースイッチＳ３１には「０００１」が設定され、ロータリースイッチＳ３３には「０５１３」が設定され、ロータリースイッチＳ３３には「１０２５」が設定され、ロータリースイッチＳ３４には「１５３６」が設定される。また、ノード装置３０Ａにおいて、ロータリースイッチＳ３１〜Ｓ３２には「１０２５」が設定され、ロータリースイッチＳ３３〜Ｓ３４には「１５３６」が設定される。
【００４９】
以上の通りに設定されることにより、ノード装置２０では、第１系統のＤＭＸ信号のデータをロータリースイッチＳ２１に設定されている「０００１」に基づきイーサネット１５上のチャネル「０００１」から１系統分配置し、第２系統のＤＭＸ信号のデータをロータリースイッチＳ２２に設定されている「０５１３」に基づきイーサネット１５上のチャネル「０５１３」から１系統分配置する。また、ノード装置２０Ａでは、第１系統のＤＭＸ信号のデータをロータリースイッチＳ２１に設定されている「１０２５」に基づきイーサネット１５上のチャネル「１０２５」から１系統分配置し、第２系統のＤＭＸ信号のデータをロータリースイッチＳ２２に設定されている「１５３６」に基づきイーサネット１５上のチャネル「１５３６」から１系統分配置する。
【００５０】
上記ノード装置２０、２０Ａによりそれぞれ上記の通にチャネル配置されたパケットが送信され、ノード装置３０、３０Ａが受信することになる。ノード装置３０がノード装置２０により送られたパケットを受け取ったときには、イーサネット１５上のチャネル「０００１」から１系統分のデータを取り出して第１系統に分配する一方、イーサネット１５上のチャネル「０５１３」から１系統分のデータを取り出して第２系統に分配する。ノード装置２０により送られたパケットには、チャネル「１０２５」以降はパックされておらず当該パケットのデータを用いて、ノード装置３０から第３系統及び第４系統に分配することは行われない。
【００５１】
ノード装置３０がノード装置２０Ａにより送られたパケットを受け取ったときには、イーサネット１５上のチャネル「１０２５」から１系統分のデータを取り出して第３系統に分配する一方、イーサネット１５上のチャネル「１５３６」から１系統分のデータを取り出して第４系統に分配する。ノード装置２０Ａにより送られたパケットには、チャネル「１０２４」以前はパックされておらず当該パケットのデータを用いて、ノード装置３０から第１系統及び第２系統に分配することは行われない。
【００５２】
また、ノード装置３０Ａがノード装置２０により送られたパケットを受け取ったときには、パケットには、チャネル「１０２５」以降はパックされておらず当該パケットのデータを用いて、ノード装置３０から第１〜第４系統に分配することは行われない。ノード装置３０Ａがノード装置２０Ａにより送られたパケットを受け取ったときには、イーサネット１５上のチャネル「１０２５」以降の１系統分のデータを取り出して第１系統及び第２系統に分配する一方、イーサネット１５上のチャネル「１５３６」以降の１系統分のデータを取り出して第３系統及び第４系統に分配する。
【００５３】
以上の通り本発明に係る実施例のノード装置を用いて調光システムを構成することにより、複数系統のＤＭＸ信号を統合して送信し、所望系統のＤＭＸ信号を取り出して１系統毎に送出することができ、効率的な調光データの送信が可能となるものである。
【図面の簡単な説明】
【００５４】
【図１】本発明に係る実施例のノード装置を用いて構成した調光システムの実施例を示す構成図。
【図２】本発明に係るノード装置の実施例を示す構成図。
【図３】図３に示したノード装置の実施例の正面パネルを示す図。
【図４】本発明に係るノード装置の実施例を示す構成図。
【図５】図４に示したノード装置の実施例の正面パネルを示す図。
【図６】本発明に係る実施例のノード装置を用いて構成した調光システムの実施例において、ロータリースイッチに設定する値を変更した例を示す図。
【図７】本発明に係る実施例のノード装置を用いて構成した調光システムの実施例において、ロータリースイッチに設定する値を変更した例を示す図。
【図８】本発明に係る実施例のノード装置を用いて構成した調光システムの実施例において、ロータリースイッチに設定する値を変更した例を示す図。
【図９】本発明に係る実施例のノード装置を用いて構成した調光システムの実施例において、ロータリースイッチに設定する値を変更した例を示す図。
【符号の説明】
【００５５】
１１〜１４  調光卓 
１５  ＬＡＮ（イーサネット） 
２０、２０Ａ、３０、３０Ａ  ノード装置 
２１−１〜２１−４  入力部 
２２  配置位置設定手段 
２３  多重化部 
２３Ｃ  多重化制御部 
２４  送信部 
２５  識別情報設定部 
２６  ＩＰアドレス作成部 
２９  設定点検部 
２９Ａ  表示部 
３１−１〜３１−４  出力部 
３２Ｓ  送信部 
３２Ｒ  受信部 
３３  識別情報設定部 
３４  ＩＰアドレス作成部 
３５  設定点検部 
３５Ａ  表示部 
３６  取出位置設定手段 
３８  分離部
【図１】
0004747811.tif 000002
【図２】
0004747811.tif 000003
【図３】
0004747811.tif 000004
【図４】
0004747811.tif 000005
【図５】
0004747811.tif 000006
【図６】
0004747811.tif 000007
【図７】
0004747811.tif 000008
【図８】
0004747811.tif 000009
【図９】
0004747811.tif 000010